(57)【特許請求の範囲】
【請求項１】
係合部を有する板状のベース材と、
開口部を有する容器状の部材であり、前記ベース材に被せるように配置され、前記係合部に係合する被係合部を有するカバー材と、を有し、
前記ベース材には、該ベース材の板面を載置した姿勢で、該ベース材の外周端部の少なくとも一部が前記被係合部が挿入可能な間隙を形成するように曲げられて、前記係合部が形成され、
前記ベース材の前記係合部に前記カバー材の前記被係合部が係合されることにより、前記ベース材に前記カバー材が装着され、
前記ベース材にはスリットが形成されるとともに、前記カバー材には突起が設けられ、前記ベース材の前記係合部と前記カバー材の前記被係合部とが係合した姿勢で、前記突起が前記スリットの内側に挿入され、前記ベース材と前記カバー材との位置関係が固定される、鋲キャップ。
【請求項２】
前記カバー材の前記被係合部は、前記開口部を区画する内縁部に設けられるものであり、内側に向かって突出する突起である、請求項１に記載の鋲キャップ。
【請求項３】
前記ベース材に前記カバー材が装着された姿勢で、前記ベース材及び前記カバー材により囲まれる空間が形成される、請求項１又は２に記載の鋲キャップ。
【発明の詳細な説明】
【技術分野】
【０００１】
本発明は、ネジ、釘、ビス等の鋲の頭部を覆うキャップに関する。
【背景技術】
【０００２】
ネジ、釘、ビス等のように、尖った一端側を壁面に突き刺し、太く形成された他端側は壁面に露出した状態で該壁面に引っ掛かることによって固定する部材である「鋲」が様々な構造物に使われていることは周知の通りである。
一方、鋲は上記のように太く形成された他端側が壁面の表面に露出してしまうので外観に影響を与えることがあった。
【０００３】
これに対して特許文献１にはネジの頭部に被せられ、該頭部に嵌合して固定するネジ用のキャップが開示されている。これによればネジの頭部が覆われてデザイン的にも向上させることができるとされている。
【先行技術文献】
【特許文献】
【０００４】
【特許文献１】実開平６−５８２２６号公報
【発明の概要】
【発明が解決しようとする課題】
【０００５】
特許文献１に記載のような従来の技術によれば、ネジの頭部が覆われてデザイン性の向上が可能であるが、当該キャップ用に加工されたネジの頭部が必要であり、汎用性に問題があった。
【０００６】
そこで本発明は上記の問題点に鑑み、汎用性の高い鋲キャップを提供することを課題とする。
【課題を解決するための手段】
【０００７】
以下、本発明について説明する。ここではわかりやすさのため、図面の参照符号を括弧書きで付記するが、本発明はこれに限定されるものではない。
【０００８】
請求項１に記載の発明は、係合部（２０ａ）を有する板状のベース材（２０）と、開口部（１１ａ）を有する容器状の部材であり、ベース材に被せるように配置され、係合部に係合する被係合部（１２）を有するカバー材（１１）と、を有し、ベース材には、該ベース材の板面を載置した姿勢で、該ベース材の外周端部の少なくとも一部が前記被係合部が挿入可能な間隙を形成するように曲げられて、係合部が形成され、ベース材の係合部にカバー材の被係合部が係合されることにより、ベース材にカバー材が装着され、ベース材にはスリット（２３）が形成されるとともに、カバー材には突起（１３）が設けられ、ベース材の係合部とカバー材の被係合部とが係合した姿勢で、突起がスリットの内側に挿入され、ベース材とカバー材との位置関係が固定される、鋲キャップ（１）である。
【０００９】
請求項２に記載の発明は、請求項１に記載の鋲キャップ（１）において、カバー材（１０）の被係合部（１２）は、開口部（１１ａ）を区画する内縁部に設けられるものであり、内側に向かって突出する突起である。
【００１０】
請求項３に記載の発明は、請求項１又は２に記載の鋲キャップ（１）において、ベース材（２０）にカバー材（１０）が装着された姿勢で、ベース材及びカバー材により囲まれる空間が形成される。
【発明の効果】
【００１２】
本発明によれば、キャップ用に特別な加工がされていない汎用的な鋲にも適用することができる鋲キャップを提供できる。従って、適用可能な鋲の種類が大幅に増え汎用性の高い鋲キャップとすることが可能となる。
【図面の簡単な説明】
【００１３】
【図１】１つの実施形態にかかる鋲キャップの分解斜視図である。
【図２】カバー材の平面図（図２（ａ））、カバー材の断面図（図２（ｂ））、カバー材の底面図（図２（ｃ））である。
【図３】ベース材の平面図（図３（ａ））、ベース材の断面図（図３（ｂ））である。
【図４】鋲キャップの組み合わせについて説明する斜視図である。
【図５】鋲キャップの組み合わせについて説明する断面図である。
【図６】他の種類の鋲に適用された例を示す断面図で、図６（ａ）がトラスネジ、図６（ｂ）がサラネジである。
【発明を実施するための形態】
【００１４】
本発明のこのような作用及び利得は、次に説明する発明を実施するための形態から明らかにされる。以下本発明を図面に示す実施形態に基づき説明する。ただし、本発明はこれら実施形態に限定されるものではない。
【００１５】
図１は、１つの実施形態にかかる鋲キャップ１の分解斜視図である。図１からわかるように鋲キャップ１は、カバー材１０及びベース材２０を有して構成されている。図２にはカバー材１０の平面図（図２（ａ））、ＩＩ−ＩＩ線断面図（図２（ｂ））、及び底面図（図２（ｃ））を示した。また、図３にはベース材２０の平面図（図３（ａ））、及びＩＩＩ−ＩＩＩ線断面図（図３（ｂ））を示した。
【００１６】
カバー材１０は、図１、図２からわかるように、一方を開口した開口部１１ａを有する扁平容器状の部材であり、カバー本体１１、カバー本体１１に形成された被係合部１２、及び突起１３を具備している。
カバー本体１１はカバー材１０の主要な部分であり、一方を開口した開口部１１ａを有する容器状の部材である。ここで、カバー本体１１の内面形状は特に限定されるものでないが、後述するように当該内面とベース材２０とで囲まれる空間内に鋲の頭部が内包されるので、カバー本体１１は鋲の頭部を内包できる形状であればよい。
カバー本体１１の外形は鋲キャップ１が適用される対象によってデザイン的観点から適宜選択することができる。本実施形態では平面視矩形であるが、平面視で円形、三角形等特に限定されない。また、カバー本体１１の厚さ方向（図２（ｂ）の紙面上下方向）の形状も上記した所定の内面形状が形成される限り限定されない。例えば側面視でドーム状、矩形、三角形等を挙げることができる。
【００１７】
被係合部１２は、開口部１１ａを区画する内縁部に設けられるものであり、内側に向かって突出する突起である。従って、被係合部１２は、開口部１１ａの開口を狭める方向に突出する突起である。本実施形態では被係合部１２は４つ設けられているがこれに限定されることはない。
【００１８】
突起１３は、カバー本体１１の容器状である底部から開口部１１ａに向けて延びる突起である。突起１３は、後で説明するようにカバー材１０がベース材２０に組み合わされた状態で、ベース材２０のスリット２３内に挿入され、カバー材１０が回転することを禁止する。従って、突起１３の位置はベース２０のスリット２３に対応した位置に設けられ、その大きさもスリット２３内に挿入可能なものである。
本実施形態では突起１３は２か所設けられているがこれに限定されることはない。
【００１９】
ベース材２０は図１、図３からわかるように、円盤状の部材であり、その中央に孔２２が設けられている。孔２２は、後述するようにここには鋲の貫入部が貫通するので、該貫入部が貫通するとともに、鋲の頭部は貫通しないような直径とされている。また、ベース材２０の周縁には上記したようにカバー１０の突起１３に対応した位置にスリット２３が設けられている。
さらにベース材２０には、特に図３（ｂ）からわかるように、ベース材２０の板面が平面に載置された姿勢で、その外周端部の少なくとも一部が持ち上げられるように曲げられた係合部２０ａが形成されている。すなわち、係合部２０ａの外周端部の少なくとも一部が、ベース材２０の一方の面である面２０ｂに対してベース材２０の厚さ方向（図３（ｂ）の紙面上下方向）に間隙ＩＩＩａを形成するように曲げらている。
【００２０】
以上のような構成部材を有する鋲キャップ１は、鋲３０に対して次のように組み合わされる。図４に説明のための分解斜視図、図５に組み合わせた状態の断面図を示した。ここで鋲３０は固定しようとする壁面４０内に貫入される貫入部３１と、貫入部３１より太く構成され壁面４０に残って該壁面に引っ掛かる頭部３２と、を備えて構成されている。本実施形態では鋲３０としてネジを例示しているが、貫入部と頭部を有していればこれに限定されることなく、鋲キャップ３０は釘やビス等に適用することもできる。
【００２１】
ベース材２０は、鋲３０が貫入される対象である壁面４０の表面に対してベース材２０の一方の面２０ｂ（図３（ｂ）参照）が接するように載置されている。これによりベース材２０の係合部２０ａが壁面４０の表面に対して間隙ＩＩＩａ（図３（ｂ）参照）有するように配置される。
【００２２】
鋲３０は、その貫入部３１がベース材２０の孔２２内を貫通して壁面４０に貫入される。一方、鋲３０の頭部３２は、ベース材２０の面のうち、壁面４０に接している面２０ｂとは反対側の面に引っ掛かるようにして配置される。従ってベース材２０は、壁面４０と鋲３０の頭部３２との間に挟まれるようにして固定されている。
【００２３】
カバー材１０は、鋲３０の頭部３２に覆い被さるように配置される。このとき図５からわかるように、カバー材１０の被係合部１２をベース材２０の係合部２０ａに引っ掛けるようにして取り付ける。これによりカバー材１０とベース材２０とが連結される。またこれによりカバー材１０及びベース材２０で囲まれる空間が形成され、この空間内に鋲３０の頭部３２が内包される。従って当該頭部３２を視線から隠蔽することが可能となる。
ここで、図には表れていないが、カバー材１０の突起１３がベース材２０のスリット２３内に挿入される。これによりカバー材１０が回転することが禁止され、カバー材１０の姿勢が固定される。カバー材１０は意匠的性質も有しているので、平面視で円形でないカバー材１０はその姿勢が外観に影響することがある。従って、このように回転が禁止されることが好ましい。
【００２４】
以上のように鋲キャップ１によれば、キャップ用に特別な加工がされていない汎用的な鋲であっても、その頭部をカバー材とベース材とに囲まれる空間内に隠蔽することができる。従って、頭部を隠蔽することができる鋲の種類が大幅に増え、汎用性の高い鋲キャップとすることが可能となる。
【００２５】
図６には、他の種類の頭部を有する鋲に鋲キャップ１を適用した例を示した。図６に示した各図は図５に相当する図である。図６（ａ）はトラスネジ３０’、図６（ｂ）はサラネジ３０”である。このように、本発明の鋲キャップは頭部の形状を問わず適用することができる。そしてその際には頭部には特に加工等を必要とすることなく汎用の鋲をそのまま用いることが可能である。
【符号の説明】
【００２６】
１  鋲キャップ
１０  カバー材
１２  被係合部
２０  ベース材
２０ａ  係合部
【図１】
0005887182.tif 000002
【図２】
0005887182.tif 000003
【図３】
0005887182.tif 000004
【図４】
0005887182.tif 000005
【図５】
0005887182.tif 000006
【図６】
0005887182.tif 000007